(57)【要約】【課題】料理と飲物を一纏めに載せ、且つ自由な片手で箸等や飲物を交互に持つことが可能なトレーを提供する。【解決手段】板材１の上面の少なくとの１箇所を陥没させて食物収容部２、2a…を形成し、前記板材１の上面の前記食物収容部２、2a…とは異なる部位の一部を陥没させて飲物収容部３を形成し、前記板材１の上面の前記食物収容部２、2a…及び飲物収容部３とは異なる部位の一部を陥没させて親指載置部４を形成し、該親指載置部４は前記板材１の側縁部より内側方向に長い形状とする。親指載置部４に親指を置き裏側の曲げた人指し指とで摘んだ状態で持てば、食物収容部２、2a…に料理を、飲物収容部３に飲物を載置した状態で片手で持つことが可能になる。親指は窪んだ親指載置部４に置かれて位置ずれし難く且つ持ち易くなる。【選択図】図５
0003183927.tif 000002
【実用新案登録請求の範囲】
【請求項１】
板材の上面の少なくとの１箇所を陥没させて、下面が下方膨出した食物収容部を形成し、前記板材の上面の前記食物収容部とは異なる部位の一部を陥没させて、下面が下方膨出した飲物収容部を形成し、前記板材の上面の前記食物収容部及び飲物収容部とは異なる部位の一部を陥没させて、下面が下方膨出した親指載置部を形成し、該親指載置部は、前記板材の側縁部より内側方向に長い形状としたことを特徴とするトレー。
【請求項２】
前記飲物収容部の底部中央に貫通孔を形成したことを特徴とする請求項１記載のトレー。
【請求項３】
前記板材及び前記飲物収容部に、前記板材の側縁部より前記飲物収容部の貫通孔に至るスリットを設けたことを特徴とする請求項２記載のトレー。
【請求項４】
前記食物収容部を複数個とし、前記板材の上面の隣接する一対の食物収容部との間の部位の一部を、該隣接する一対の食物収容部を跨いで陥没させて、下面が下方膨出した箸置き部を形成し、該箸置き部を前記食物収容部より浅くしたことを特徴とする請求項１、２又は３記載のトレー。
【考案の詳細な説明】
【技術分野】
【０００１】
本考案は、例えば外での飲食や立食パーティーの様な、テーブルに着席せず、定所に留まらずに飲食する際に、所望の飲食物を同時に持ち運ぶためのトレーに関する。
【背景技術】
【０００２】
従来、野外での飲食や立食パーティーの際には、利き手で容器に入った飲物を、反対側の手で料理用の取り皿を持ち、箸、フォーク等（以降、箸等と称する）は取り皿の上に載置した状態で移動すことになる。
【０００３】
又、複数の料理を別々に盛り付けることが可能な所謂「ランチトレー」なるものが見受けられ、これは上面の複数箇所を適宜形状に陥没させて複数個の収容部を形成し、所定位置の収容部に全ての料理や食器等を一纏めに載置可能になっているが、これはあくまでもテーブルに着席して食事することを前提としたものである。
【考案の概要】
【考案が解決しようとする課題】
【０００４】
しかし、上記従来技術にあっては、前者の場合、移動の際には両手が塞がってしまって緊急時に対処出来ず、料理を食する際には、飲物を別の場所に置き利き手を放してから箸等に持ち替えなければならず、後者の場合、移動しながらの飲食には対応出来ないなど、解決せねばならない課題があった。
【課題を解決するための手段】
【０００５】
本考案は、上記従来技術に基づく、取り皿では料理と飲物を片手で纏めて運ぶことが出来ず、ランチトレーではテーブルが無くては飲食できない課題に鑑み、板材の上面の少なくとの１箇所を陥没させて、下面が下方膨出した食物収容部を形成し、前記板材の上面の前記食物収容部とは異なる部位の一部を陥没させて、下面が下方膨出した飲物収容部を形成し、前記板材の上面の前記食物収容部及び飲物収容部とは異なる部位の一部を陥没させて、下面が下方膨出した親指載置部を形成し、該親指載置部は、前記板材の側縁部より内側方向に長い形状とすることによって、少なくとも料理と飲物を一纏めに載せ、片手で持ち易くし且つ自由な片手で箸等を持ったり、飲物に持ち替えたりすることを可能にして、上記課題を解決する。
【考案の効果】
【０００６】
要するに本考案は、板材の上面の少なくとの１箇所を陥没させて、下面が下方膨出した食物収容部を形成し、前記板材の上面の前記食物収容部とは異なる部位の一部を陥没させて、下面が下方膨出した飲物収容部を形成し、前記板材の上面の前記食物収容部及び飲物収容部とは異なる部位の一部を陥没させて、下面が下方膨出した親指載置部を形成し、該親指載置部は、前記板材の側縁部より内側方向に長い形状としたので、飲物と料理を一緒に載置して移動することが出来ると共にテーブルが無くても飲食することが出来、而も利き手側を自由にすることが出来、又親指載置部に親指を置き裏側の曲げた人指し指とで摘んだ状態で持てば、移動中に何かに軽く衝突したとしても手元がずれないため、取り落とす危険性を極めて低く抑えることが出来る。
【０００７】
丈高のタンブラーやコブレットの様な容器であれば、飲物収容部に載置しただけでは倒れ易いが、前記飲物収容部の底部中央に貫通孔を形成したので、タンブラーの場合には貫通孔に上方より挿嵌して中間部を引っ掛ける様にすれば、安定状態でセットすることが出来、而も前記板材及び前記飲物収容部に、前記板材の側縁部より前記飲物収容部の貫通孔に至るスリットを設けたので、コブレットのステム部をスリットを通し貫通孔まで移行させれば、安定状態でセットすることが出来るため、転倒防止の気遣いなく移動することが出来る。
【０００８】
前記食物収容部を複数個とし、前記板材の上面の隣接する一対の食物収容部との間の部位の一部を、該隣接する一対の食物収容部を跨いで陥没させて、下面が下方膨出した箸置き部を形成し、該箸置き部を前記食物収容部より浅くしたので、箸等の先端側を箸置き部に置けば、移動中の揺れに対する位置ずれを抑えることが出来るため、落下防止の気遣いなく移動することが出来る等その実用的効果甚だ大である。
【図面の簡単な説明】
【０００９】
【図１】本考案に係るトレーの平面図である。
【図２】図１のＡ−Ａ断面図である。
【図３】図１のＢ−Ｂ断面図である。
【図４】図１のＣ−Ｃ断面図である。
【図５】図１のトレーの斜視図である。
【図６】図１のトレーの飲物載置部にコブレットを載置した状態の断面図である。
【図７】図１のトレーの飲物載置部へのコブレットの載置過程を示す要部断面図である。
【図８】図１のトレーの飲物載置部に缶飲料を載置した状態の断面図である。
【図９】図１のトレーの飲物載置部にマグカップを載置した状態の断面図である。
【図１０】図１のトレーの飲物載置部にタンブラーを載置した状態の断面図である。
【図１１】図１のトレーの飲物載置部に段付きのオールドタイプグラスを載置した状態の断面図である。
【考案を実施するための形態】
【００１０】
本考案に係るトレーは、基本的に、板材１の上面の少なくとの１箇所を陥没させて、下面が下方膨出した食物収容部２（、2a…）を形成し、板材１の上面の食物収容部２（、2a…）とは異なる部位の一部を陥没させて、下面が下方膨出した飲物収容部３を形成し、板材１の上面の食物収容部２（、2a…）及び飲物収容部３とは異なる部位の一部を陥没させて、下面が下方膨出した親指載置部４を形成し、該親指載置部４は、板材１の側縁部より内側方向に長い形状としている。
【００１１】
以下、具体的に説明すると、本考案に係るトレーは、図１に示す様に、Ｂ５版（１８２ｍｍ×２５７ｍｍ）程度の大きさの横長矩形状の板材１と、大小２個の食物収容部２、2aと、１個の飲物収容部３と、１個の親指載置部４を有している。
【００１２】
両方の食物収容部２、2aは矩形皿状で、大きい食物収容部２は板材１の一方側（図１における右側）部位の略全体を占める大きさに形成し、小さい食物収容部2aは板材１の他方側（図１における左側で使用状態における手元側）部位を更に略半分に仕切ったスペースの一方（使用状態における手元側且つ手前側）の略全体を占める大きさに形成している。
【００１３】
飲物収容部３は、概ね円筒状で食物収容部２、2aより深く、板材１の他方側半分の他方（使用状態における手元側且つ奥側）の仕切スペースに形成され、板材１より下方に位置する円周壁3a及び底部3bを有し、該底部3bの中央に貫通孔５を形成し、よって底部3bは円周壁3aの内周下部に鍔状に周設された形態を呈し、板材１、飲物収容部３の円周壁3a及び底部3bに、板材１の側縁部（使用状態における奥側の長辺縁部）より前記飲物収容部２の貫通孔５に至るスリット６を設けている。
【００１４】
尚、底部3bは、テーパー状の外周部位と、該外周部位に連続形成された円筒状の内周部位と、該内周部位の下端内周部に一体形成された鍔状部位を有し、該鍔状部位より内側部位が貫通孔５と成っており、飲物容器における底部3bへの接地部位の径の大小にある程度対応可能にし、且つ載置状態の飲物が位置ずれしない様にしている。
【００１５】
親指載置部４は、小さい食物収容部2aと飲物収容部３の間で、板材１の中心線上で該板材１の他方側の側縁部（使用状態における手元側の短辺縁部）より内側方向に形成され、親指の接触面は全体的に幅方向に下方湾曲した浅い凹曲面で親指に負担がかからず、且つ接触面の先端部位は親指載置部４が先端側へ徐々に浅くなる様な凹曲面として親指の先に馴染む様に成っている。
【００１６】
板材１の上面の２個の食物収容部２、2aとの間の部位で、小さい食物収容部2aの中心線上に、２個の食物収容部２、2aを跨ぐ様に陥没させ且つ下面を下方膨出させた箸置き部７を形成し、該箸置き部７の幅は小さい食物収容部2aより狭く、深さは両方の食物収容部２、2aより浅くしている。
【００１７】
大きい食物収容部２の外側２隅部の下面と、小さい食物収容部2aの外側隅部の下面に半球状の脚部８、8a、8bを一体形成し、該脚部８、8a、8b及び飲物収容部３の最下端を揃えて、例えばテーブルの上面の様な平面上に載置しても、脚部８、8a、8b及び飲物収容部３の全てが接地する様にしている。
【００１８】
尚、本考案に係るトレーは、好ましくはプラスチック射出成形品とするが、金属プレス成形品、その他の材料及び方法で成形されたものであっても良い。
又、板材１の形状及び大きさはＢ５版（１８２ｍｍ×２５７ｍｍ）程度の矩形に限定せず、その他の多角形、正円・楕円形、その他の形状であっても良く、大きさは片手で簡単に持ち運ぶことが可能で、且つ料理及び飲物を載置可能な程度であれば良い。
【００１９】
次に、本考案に係るトレーの作用について説明する。
本考案に係るトレーを、親指載置部４に親指を置き裏側の曲げた人指し指とで摘んだ状態で利き手と反対側の手で持ち、所望の料理を適宜食物収容部２、2a内に取り分け、飲物収容部３に所望の飲物を載置し、料理を食べる際には、トレー上に置いておいた箸等を自由な利き手で持ち、飲物を飲む際には、箸等をトレー上に置いて自由になった利き手で飲物を持つことが可能になり、トレー上に箸等を置く場合、先端側を箸置き部７に置けば、移動中に落下し難くなる。
【００２０】
飲物収容部３に所望の飲物を載置する際に、飲物の容器が缶やマグカップの場合には、図８、９に示す様に、底部3bの上に載置し、上方へ順次拡径するタンブラー形態又は中間部に段差部を有する形態のグラスや紙・プラスチックコップの場合には、図１０、１１に示す様に、貫通孔５に上方より挿嵌し、コブレット形態の各種グラスは、図６、７に示す様に、ステム部をスリット６を通し貫通孔５まで移行させた後にカップ部を底部3bの上に載置する。
【００２１】
又、図示されたトレーは右利き用であり、左利きがそのまま使用すると、飲物が手前側に、箸等を奥側に載置せねばならなくなって若干扱い難くなるが、許容範囲内であることから、図示のトレーとは左右対称の左利き用のものがあるのが好ましいが、無くても何ら問題はない。
【符号の説明】
【００２２】
１        板材
２、2a…  食物収容部
３        飲物収容部
４        親指載置部
５        貫通孔
６        スリット
７        箸置き部
【図１】
0003183927.tif 000003
【図２】
0003183927.tif 000004
【図３】
0003183927.tif 000005
【図４】
0003183927.tif 000006
【図５】
0003183927.tif 000007
【図６】
0003183927.tif 000008
【図７】
0003183927.tif 000009
【図８】
0003183927.tif 000010
【図９】
0003183927.tif 000011
【図１０】
0003183927.tif 000012
【図１１】
0003183927.tif 000013